(57)【要約】【課題】ゲートウェイ装置の消費電力を削減し、特にモバイルゲートウェイ装置の電池駆動時間をより延ばすことを目的とする中継装置および中継方法。【解決手段】ＬＡＮ（ローカルエリアネットワーク）側通信部への電源供給を制御するブロックとＷＡＮ（ワイドエリアネットワーク）側通信部への電源供給を制御するブロックを分離し、それぞれの通信部の電源を個別に制御できるように構成し、起動時にＷＡＮ側の通信が可能であることが確認されてからＬＡＮ通信部への電源供給を開始するように電源制御を行う。また、ゲートウェイ動作中にＢＳの通信圏外に移動してＷＡＮ側の通信が切断された場合にも、ＬＡＮ通信部への電源供給を停止して電力の消費を削減するように電源制御するように構成する。【選択図】図１
2012084951.tif 000002
【特許請求の範囲】
【請求項１】
ワイドエリアネットワークとローカルエリアネットワークとを中継する中継装置であって、
前記ワイドエリアネットワークを介して通信を行うＷＡＮ通信部と、
前記ローカルエリアネットワークを介して通信を行うＬＡＮ通信部と、
電源を供給する電源供給部とを備え、
前記電源供給部は、前記ＷＡＮ通信部に電源を供給し、電源が供給されたＷＡＮ通信部は、前記ワイドエリアネットワークにおける基地局をサーチし、前記電源供給部は、前記サーチされた基地局との通信が確立した場合に、前記ＬＡＮ通信部に電源を供給することを特徴とする中継装置。
【請求項２】
前記電源供給部は、前記サーチされた基地局との通信が切断された場合に、前記ＬＡＮ通信部への電源供給を停止することを特徴とする請求項１記載の中継装置。
【請求項３】
前記電源供給部は、前記サーチされた基地局との通信が切断された場合に、前記ＷＡＮ通信部への電源供給を停止することを特徴とする請求項１または２記載の中継装置。
【請求項４】
前記ＷＡＮ通信部は、前記サーチされた基地局との通信が切断された場合に、前記基地局を所定間隔毎にサーチし、
前記電源供給部は、前記ＷＡＮ通信部が基地局のサーチを行わない期間中、前記ＷＡＮ通信部への電源供給を停止することを特徴とする請求項３記載の中継装置。
【請求項５】
前記ＷＡＮ通信部は、前記サーチされた基地局との通信が切断された場合に、前記基地局を所定間隔毎にサーチし、
さらに、前記サーチされた基地局との通信が切断されてからの経過時間に応じて、前記所定間隔の時間幅を変更するサーチ間隔変更部を備えることを特徴とする請求項１ないし４いずれか１項に記載の中継装置。
【請求項６】
前記サーチ間隔変更部は、前記サーチされた基地局との通信が切断されてからの経過時間が長いほど、前記所定間隔の時間幅が大きくなるように前記所定間隔の時間幅を変更することを特徴とする請求項５記載の中継装置。
【請求項７】
さらに、前記ローカルエリアネットワークにおける端末からの前記中継装置へのアクセスを検出するアクセス検出部を備え、
前記電源供給部は、前記アクセス検出部が中継装置へのアクセスを検出しない場合、前記ＷＡＮ通信部への電源供給を停止することを特徴とすることを特徴とする請求項１ないし６いずれか１項に記載の中継装置。
【請求項８】
さらに電池を備え、
前記電源供給部は、前記電池からの電源を供給することを特徴とする請求項１ないし７いずれか１項に記載の中継装置。
【請求項９】
前記ワイドエリアネットワークはＷｉＭＡＸであることを特徴とする請求項１ないし８いずれか１項に記載の中継装置。
【請求項１０】
前記ローカルエリアネットワークは無線ＬＡＮであることを特徴とする請求項１ないし９いずれか１項に記載の中継装置。
【請求項１１】
ワイドエリアネットワークとローカルエリアネットワークとを中継する中継方法であって、
前記ワイドエリアネットワークを介して通信を行うＷＡＮ通信部に電源を供給し、
電源が供給されたＷＡＮ通信部は、前記ワイドエリアネットワークにおける基地局をサーチし、
前記サーチされた基地局との通信が確立された場合に、前記ローカルエリアネットワークを介して通信を行うＬＡＮ通信部に電源を供給することを特徴とする中継方法。
【発明の詳細な説明】
【技術分野】
【０００１】
本発明は、ＷＡＮ側ネットワークとＬＡＮ側ネットワークの異なるプロトコルのネットワーク間の中継を行うゲートウェイ装置、特に電池で駆動する中継装置および中継方法において、電池の長時間駆動をさせるための省電力制御に関するものである。
【背景技術】
【０００２】
従来の中継装置では、起動時にＬＡＮ通信部およびＷＡＮ通信部の両方に電源が供給され、それぞれの通信動作を開始する。ＷＡＮ通信部は起動するとＢＳのサーチを開始し、通信可能なＢＳが見つからないときは定期的にサーチを繰り返す。ＬＡＮ通信部は定期的にビーコン信号等を送信し、クライアントからのアクセスを検出したらクライアントとの通信を確立する。ＷＡＮ側とＬＡＮ側双方の通信が確立したら、中継動作を開始する。その後使われていない機能ブロックを検出すると、そのブロックへの電源供給を停止して消費電力を削減するように構成されている（例えば特許文献１参照）。
【先行技術文献】
【特許文献】
【０００３】
【特許文献１】特開２００４−１８６７５２号公報
【発明の概要】
【発明が解決しようとする課題】
【０００４】
しかしながら、上記従来の中継装置の構成では、各種のゲートウェイ装置が提案されている。このような、ゲートウェイ装置では、起動からしばらくはＷＡＮ側通信ブロックにもＬＡＮ側通信ブロックにも電源が供給され、それぞれの機能ブロックが動作するため、ＷＡＮ側の通信が確立されていなくてもそれぞれのブロックで電力を消費することになる。ゲートウェイの機能は、ＷＡＮ側とＬＡＮ側の異なるプロトコル間の通信を中継することであり、双方のネットワークに接続されていることが必要であるため、ＷＡＮ側の通信が確立されていないときのＬＡＮ側の動作による電力消費は無駄になるという問題を有していた。
【０００５】
本発明は上記従来の中継装置における無駄な消費電力を削減し、特に電池駆動の中継装置の駆動時間をより長くすることを目的とする。
【課題を解決するための手段】
【０００６】
前記従来の課題を解決するために、本発明は、ワイドエリアネットワークとローカルエリアネットワークとを中継する中継装置であって、前記ワイドエリアネットワークを介して通信を行うＷＡＮ通信部と、前記ローカルエリアネットワークを介して通信を行うＬＡＮ通信部と、電源を供給する電力供給部とを備え、前記電力供給部は、前記ＷＡＮ通信部に電源を供給し、電源が供給されたＷＡＮ通信部は、前記ワイドエリアネットワークにおける基地局をサーチし、前記電力供給部は、前記サーチされた基地局との通信が確立した場合に、前記ＬＡＮ通信部に電源を供給するように構成した。
【発明の効果】
【０００７】
本発明によれば、ＷＡＮ側の接続が確立されていない状態においてＬＡＮ側に電源を供給しないので、ＬＡＮ側の動作による消費電力を抑制することができる。電池駆動機器であれば駆動時間を延ばすことができる。
【図面の簡単な説明】
【０００８】
【図１】本発明の実施例１におけるゲートウェイ装置のハードウェア機能構成図
【図２】本発明の実施例１におけるゲートウェイ装置の電源制御のフローチャート
【図３】本発明の実施例２におけるゲートウェイ装置の電源制御のフローチャート
【図４】本発明の実施例３におけるゲートウェイ装置のハードウェア機能構成図
【図５】本発明の実施例３におけるゲートウェイ装置の電源制御のフローチャート
【図６】本発明の実施例４におけるゲートウェイ装置のハードウェア機能構成図
【図７】本発明の実施例４におけるゲートウェイ装置の電源制御のフローチャート
【図８】本発明の実施例５におけるゲートウェイ装置の電源制御のフローチャート
【図９】本発明の実施例６におけるゲートウェイ装置の電源制御のフローチャート
【図１０】本発明の実施例７におけるゲートウェイ装置の機能構成図
【図１１】本発明の実施例７におけるゲートウェイ装置の電源制御のフローチャート
【図１２】本発明の実施例８におけるゲートウェイ装置のハードウェアの構成図
【発明を実施するための形態】
【０００９】
上記課題を解決するためになされた第１の発明は、ワイドエリアネットワークとローカルエリアネットワークとを中継する中継装置であって、前記ワイドエリアネットワークを介して通信を行うＷＡＮ通信部と、前記ローカルエリアネットワークを介して通信を行うＬＡＮ通信部と、電源を供給する電力供給部とを備え、前記電力供給部は、前記ＷＡＮ通信部に電源を供給し、電源が供給されたＷＡＮ通信部は、前記ワイドエリアネットワークにおける基地局をサーチし、前記電力供給部は、前記サーチされた基地局との通信が確立した場合に、前記ＬＡＮ通信部に電源を供給することを特徴とする中継装置である。
【００１０】
第１の発明によれば、ＷＡＮ側の接続が確立されていない状態においてＬＡＮ側に電源を供給しないので、ＬＡＮ側の動作による消費電力を抑制することができる。
【００１１】
上記課題を解決するためになされた第２の発明は、第１の中継装置であって、前記電力供給部は、前記サーチされた基地局との通信が切断された場合に、前記ＬＡＮ通信部への電源供給を停止することを特徴とする請求項１記載の中継装置である。
【００１２】
第２の発明によれば、ＷＡＮ側の接続が切断された状態においてもＬＡＮ側に電源を供給しないので、ＬＡＮ側の動作による消費電力をさらに抑制することができる。
【００１３】
上記課題を解決するためになされた第３の発明は、第１または第２の中継装置であって、前記電力供給部は、前記サーチされた基地局との通信が切断された場合に、前記ＷＡＮ通信部への電源供給を停止することを特徴とする中継装置である。
【００１４】
第３の発明によれば、ＷＡＮ側の接続が切断された状態においてＷＡＮ側に電源を供給しないので、ＷＡＮ側の動作による消費電力を抑制することができる。
【００１５】
上記課題を解決するためになされた第４の発明は、第３の中継装置であって、前記ＷＡＮ通信部は、前記サーチされた基地局との通信が切断された場合に、前記基地局を所定間隔毎にサーチし、前記電力供給部は、前記ＷＡＮ通信部が基地局のサーチを行わない期間中、前記ＷＡＮ通信部への電源供給を停止することを特徴とする中継装置である。
【００１６】
第４の発明によれば、基地局のサーチを行わない状態においてＷＡＮ側に電源を供給しないので、ＷＡＮ側の動作による消費電力を抑制することができる。
【００１７】
上記課題を解決するためになされた第５の発明は、第１ないし４いずれかの中継装置であって、前記ＷＡＮ通信部は、前記サーチされた基地局との通信が切断された場合に、前記基地局を所定間隔毎にサーチし、さらに、前記サーチされた基地局との通信が切断されてからの経過時間に応じて、前記所定間隔の時間幅を変更するサーチ間隔変更部を備えることを特徴とする中継装置である。
【００１８】
第５の発明によれば、ワイドエリアネットワークの通信が切断されてからの経過時間に応じて、サーチ間隔を柔軟に変更することができる。
【００１９】
上記課題を解決するためになされた第６の発明は、第５の中継装置であって、前記サーチ間隔変更部は、前記サーチされた基地局との通信が切断されてからの経過時間が長いほど、前記所定間隔の時間幅が大きくなるように前記所定間隔の時間幅を変更することを特徴とする中継装置である。
【００２０】
第６の発明によれば、接続できない状態で過剰なサーチを抑制することができ、消費電力をさらに抑制することができる。
【００２１】
上記課題を解決するためになされた第７の発明は、第１ないし６いずれかの中継装置であって、さらに、前記ローカルエリアネットワークにおける端末からの前記中継装置へのアクセスを検出するアクセス検出部を備え、前記電力供給部は、前記アクセス検出部が中継装置へのアクセスを検出しない場合、前記ＷＡＮ通信部への電源供給を停止することを特徴とすることを特徴とする中継装置である。
【００２２】
第７の発明によれば、ローカルエリアネットワーク側のアクセスがない状態においてＷＡＮ側に電源を供給しないので、ＷＡＮ側の動作による消費電力をさらに抑制することができる。
【００２３】
上記課題を解決するためになされた第８の発明は、第１ないし７いずれかの中継装置であって、さらに電池を備え、前記電力供給部は、前記電池からの電源を供給することを特徴とする中継装置である。
【００２４】
第８の発明によれば、電池の消費電力が抑制されるので、電池を長持ちさせることができる。
【００２５】
上記課題を解決するためになされた第９の発明は、第１ないし８いずれかの中継装置であって、前記ワイドエリアネットワークはＷｉＭＡＸであることを特徴とする中継装置である。
【００２６】
第９の発明によれば、ＷｉＭＡＸ側の接続が確立されていない状態においてＬＡＮ側に電源を供給しないので、ＬＡＮ側の動作による消費電力を抑制することができる。
【００２７】
上記課題を解決するためになされた第１０の発明は、第１ないし９いずれかの中継装置であって、前記ローカルエリアネットワークは無線ＬＡＮであることを特徴とする中継装置である。
【００２８】
第１０の発明によれば、無線ＬＡＮ側の動作による消費電力を抑制することができる。
【００２９】
以下、本発明の具体的な内容について実施例を用いて説明する。
【実施例１】
【００３０】
本実施例１では、中継装置の一例である無線ゲートウェイに適用する場合を例に挙げて以下に説明する。
【００３１】
図１は、本発明の実施例１におけるゲートウェイ装置のハードウェア機能構成図である。
【００３２】
図１において、１０１はゲートウェイ装置のシステム全体を制御するシステム制御部である。１０２はシステムの動作プログラムが格納されるＦＬＡＳＨメモリ等の不揮発性メモリおよびデータを一時的に格納するＳＤＲＡＭ等の揮発性メモリで構成される記憶部Ａであり、システム制御部１０１は記憶部Ａの不揮発性メモリに格納されたプログラムに従って動作する。１０３はシステム全体に電力を供給するシステム電力供給部であり、入力電圧をシステム内で使用する電圧に変換する。１０４はＷＡＮ（ワイドエリアネットワーク）側の通信プロトコルで通信を行うＷＡＮ通信制御部である。１０５はＷＡＮ側通信方式の無線信号を送受信するアンテナである。１０６はＷＡＮ通信部の動作プログラムが格納されるＲＯＭおよびデータを一時的に格納するＲＡＭで構成される記憶部Ｂであり、ＷＡＮ通信制御部１０４は記憶部ＢのＲＯＭに格納されたプログラムに従ってＷＡＮ通信部の制御を行う。１０７はＷＡＮ通信部への電力供給を制御するＷＡＮ側電力供給部であり、システム電力供給部１０３から供給された電源電圧をＷＡＮ通信部で使用する電圧に変換して供給したり、ある条件によってはシステム制御部１０１からの信号によりＷＡＮ通信部への電力供給を停止したりする。１０８はＬＡＮ（ローカルエリアネットワーク）側の通信プロトコルで通信を行うＬＡＮ通信制御部である。１０９はＬＡＮ側通信方式の無線信号を送受信するアンテナである。１１０はＬＡＮ通信部の動作プログラムが格納されるＲＯＭおよびデータを一時的に格納するＲＡＭで構成される記憶部Ｃであり、ＬＡＮ通信制御部１０８は記憶部ＣのＲＯＭに格納されたプログラムに従ってＬＡＮ通信部の制御を行う。１１１はＬＡＮ通信部への電力供給を制御するＬＡＮ側電力供給部であり、システム電力供給部１０３から供給された電源電圧をＬＡＮ通信部で使用する電圧に変換して供給したり、ある条件によってはシステム制御部１０１からの信号によりＬＡＮ通信部への電力供給を停止したりする。１１２は時間計測のためのタイマーである。１１３はシステムの電源をＯＮ／ＯＦＦするスイッチであり、１１４はシステムの主電源である電池である。
【００３３】
ワイドエリアネットワークの一例としては、インターネットがあり、インターネットに接続する媒体として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＤＳＬ（Ｄｉｇｉｔａｌ  Ｓｕｂｓｃｒｉｂｅｒ  Ｌｉｎｅ）、光通信、ＰＬＣ（Ｐｏｗｅｒ  Ｌｉｎｅ  Ｃｏｍｍｕｎｉｃａｔｉｏｎ）等がある。ローカルエリアネットワークの媒体としては、無線ＬＡＮ、有線ＬＡＮ（イーサネット（登録商標）、ＰＬＣ）等がある。
【００３４】
以上のように構成されるゲートウェイ装置について、以下にその動作を説明する。
【００３５】
図２は、本発明の実施例１におけるゲートウェイ装置の電源制御のフローチャートである。
【００３６】
図２に示すように、電源スイッチ１１３がＯＮされ（Ｓｔｅｐ１０１）、電池１１４から電力が供給されると、システム電力供給部１０３が電池１１４から供給される電源電圧をシステムで使用する電圧に変換してシステム制御部１０１に供給する（Ｓｔｅｐ１０２）。システム制御部１０１は電源が供給されると、記憶部Ａからプログラムの読み出し動作を開始する。システム制御部１０１がまずＷＡＮ側電力供給部１０７のイネーブル信号をアクティブにすると、ＷＡＮ側電力供給部１０７はシステム電力供給部１０３から供給される電源電圧をＷＡＮ通信制御部１０４で使用する電圧に変換し、ＷＡＮ通信部への供給を開始する（Ｓｔｅｐ１０３）。ＷＡＮ通信制御部１０４は電力が供給されると、記憶部Ｂからプログラムを読み出し、ＢＳ（ＢａｓｅＳｔａｔｉｏｎ：基地局）のサーチを開始する（Ｓｔｅｐ１０４）。通信可能なＢＳの電波をアンテナ１０５で受信し見つけると（Ｓｔｅｐ１０５）、ＷＡＮ通信制御部は、サーチしたＢＳとの通信を確立する（Ｓｔｅｐ１０６）。ＷＡＮ側の通信が確立したら、システム制御部１０１はＬＡＮ側電力供給部１１１のイネーブル信号をアクティブにする。ＬＡＮ側電力供給部１１１はシステム電力供給部１０３から供給される電源電圧をＬＡＮ通信制御部１０８で使用する電圧に変換し、ＬＡＮ通信部への供給を開始する（Ｓｔｅｐ１０７）。ＬＡＮ通信制御部１０８は電力が供給されると、記憶部Ｃからプログラムを読み出し、ＬＡＮ側の通信動作を開始する。電源スイッチ１１３がＯＦＦされると（Ｓｔｅｐ１０８）、ＷＡＮ側電力供給部１０７およびＬＡＮ側電力供給部１１１の動作を停止しシステムをシャットダウンする（Ｓｔｅｐ１０９）。通信可能なＢＳが見つからなかった場合（Ｓｔｅｐ１０５）、システム制御部１０１はタイマー１１２をスタートさせ（Ｓｔｅｐ１１０）、設定した時間が経過したら（Ｓｔｅｐ１１１）、タイマーをリセットし（Ｓｔｅｐ１１２）再びＢＳのサーチを行う（Ｓｔｅｐ１０４）。通信可能なＢＳが見つからない場合は、見つかるまでタイマーで設定した時間間隔でサーチを繰り返す。
【００３７】
以上のように、実施例１の発明では、ＷＡＮ側の接続が確立されていない状態においてＬＡＮ側に電源を供給しないので、ＬＡＮ側の動作による消費電力を抑制することができる。
【００３８】
なお、本実施例ではＷＡＮ側、ＬＡＮ側とも無線の通信方式としたが、ＷＡＮ側通信方式およびＬＡＮ側通信方式は有線ネットワークの通信方式でもよい。
【実施例２】
【００３９】
本実施例２では、図１と同様に構成されるゲートウェイ装置に適用する場合を例に挙げて、以下にその動作を説明する。
【００４０】
図３は、本発明の実施例２におけるゲートウェイ装置の電源制御のフローチャートである。
【００４１】
図３に示すように、電源スイッチ１１３がＯＮされ（Ｓｔｅｐ２０１）、電池１１４から電力が供給されると、システム電力供給部１０３が電池１１４から供給される電源電圧をシステムで使用する電圧に変換してシステム制御部１０１に供給する（Ｓｔｅｐ２０２）。システム制御部１０１は電源が供給されると、記憶部Ａからプログラムの読み出し動作を開始する。システム制御部１０１がまずＷＡＮ側電力供給部１０７のイネーブル信号をアクティブにすると、ＷＡＮ側電力供給部１０７はシステム電力供給部１０３から供給される電源電圧をＷＡＮ通信制御部１０４で使用する電圧に変換し、ＷＡＮ通信部への供給を開始する（Ｓｔｅｐ２０３）。ＷＡＮ通信制御部１０４は電力が供給されると、記憶部Ｂからプログラムを読み出し、ＢＳ（ＢａｓｅＳｔａｔｉｏｎ：基地局）のサーチを開始する（Ｓｔｅｐ２０４）。通信可能なＢＳの電波をアンテナ１０５で受信し見つけると（Ｓｔｅｐ２０５）、ＷＡＮ通信制御部はＢＳとの通信を確立する（Ｓｔｅｐ２０６）。ＷＡＮ側の通信が確立したら、システム制御部１０１はＬＡＮ側電力供給部１１１のイネーブル信号をアクティブにする。ＬＡＮ側電力供給部１１１はシステム電力供給部１０３から供給される電源電圧をＬＡＮ通信制御部１０８で使用する電圧に変換し、ＬＡＮ通信部への供給を開始する（Ｓｔｅｐ２０７）。ＬＡＮ通信制御部１０８は電力が供給されると、記憶部Ｃからプログラムを読み出し、ＬＡＮ側の通信動作を開始しシステム制御部１０１はＬＡＮ側からＷＡＮ側およびＷＡＮ側からＬＡＮ側へプロトコルの変換を行いＷＡＮとＬＡＮのデータ通信の中継を行う。ＷＡＮとＬＡＮの中継動作中にＷＡＮ側のＢＳの通信圏外に移動してＢＳとの通信が切断された場合（Ｓｔｅｐ２０８）、再度通信可能なＢＳがないかサーチし（Ｓｔｅｐ２０４）、通信可能なＢＳの電波をアンテナ１０５で受信し見つけると（Ｓｔｅｐ２０５）、ＷＡＮ通信制御部はＢＳとの通信を確立する（Ｓｔｅｐ２０６）し、中継動作を再開する。通信可能なＢＳが見つからなかった場合（Ｓｔｅｐ２０５）、システム制御部１０１はＬＡＮ側電力供給部１１１をディセーブルにして動作を停止させ、ＬＡＮ通信部への電力供給を止める。また、タイマー１１２をスタートさせ（Ｓｔｅｐ２１０）、設定した時間が経過したら（Ｓｔｅｐ２１１）、タイマーをリセットし（Ｓｔｅｐ２１２）再びＢＳのサーチを行う（Ｓｔｅｐ２０４）。通信可能なＢＳが見つからない場合は、見つかるまでタイマーで設定した時間間隔でサーチを繰り返す。よってＢＳとの通信が可能になるまではＬＡＮ通信部への電源供給は停止されることになる。
【００４２】
以上のように、実施例２の発明では、ＷＡＮ側の接続が切断された状態においてもＬＡＮ側に電源を供給しないので、ＬＡＮ側の動作による消費電力をさらに抑制することができる。
【００４３】
なお、本実施例ではＷＡＮ側、ＬＡＮ側とも無線の通信方式としたが、ＷＡＮ側通信方式およびＬＡＮ側通信方式は有線ネットワークの通信方式でもよい。
【実施例３】
【００４４】
本実施例３では、実施例１と同様に無線ゲートウェイ装置に適用する場合を例に挙げて、以下にその動作を説明する。
【００４５】
図４は、本発明の実施例３におけるゲートウェイ装置のハードウェア機能構成図である。
【００４６】
図４において、２０１はゲートウェイ装置のシステム全体を制御するシステム制御部である。２０２はシステムの動作プログラムが格納されるＦＬＡＳＨメモリ等の不揮発性メモリおよびデータを一時的に格納するＳＤＲＡＭ等の揮発性メモリで構成される記憶部Ａであり、システム制御部２０１は記憶部Ａの不揮発性メモリに格納されたプログラムに従って動作する。２０３はシステム全体に電力を供給するシステム電力供給部であり、入力電圧をシステム内で使用する電圧に変換する。２０４はＷＡＮ側の通信プロトコルで通信を行うＷＡＮ通信制御部である。２０５はＷＡＮ側通信方式の無線信号を送受信するアンテナである。２０６はＷＡＮ通信部の動作プログラムが格納されるＲＯＭおよびデータを一時的に格納するＲＡＭで構成される記憶部Ｂであり、ＷＡＮ通信制御部２０４は記憶部ＢのＲＯＭに格納されたプログラムに従ってＷＡＮ通信部の制御を行う。２０７はＷＡＮ通信部への電力供給を制御するＷＡＮ側電力供給部であり、システム電力供給部２０３から供給された電源電圧をＷＡＮ通信部で使用する電圧に変換して供給したり、ある条件によってはシステム制御部２０１からの信号によりＷＡＮ通信部への電力供給を停止したりする。２０８はＬＡＮ側の通信プロトコルで通信を行うＬＡＮ通信制御部である。２０９はＬＡＮ側通信方式の無線信号を送受信するアンテナである。２１０はＬＡＮ通信部の動作プログラムが格納されるＲＯＭおよびデータを一時的に格納するＲＡＭで構成される記憶部Ｃであり、ＬＡＮ通信制御部２０８は記憶部ＣのＲＯＭに格納されたプログラムに従ってＬＡＮ通信部の制御を行う。２１１はＬＡＮ通信部への電力供給を制御するＬＡＮ側電力供給部であり、システム電力供給部２０３から供給された電源電圧をＬＡＮ通信部で使用する電圧に変換して供給したり、ある条件によってはシステム制御部２０１からの信号によりＬＡＮ通信部への電力供給を停止したりする。２１２はＢＳをサーチする時間を計測のためのタイマーＡである。２１３はシステムの電源をＯＮ／ＯＦＦするスイッチであり、２１４はシステムの主電源である電池である。２１５はＢＳをサーチする時間間隔を計測するタイマーＢである。
【００４７】
以上のように構成されるゲートウェイ装置について、以下にその動作を説明する。
【００４８】
図５は、本発明の実施例３におけるゲートウェイ装置の電源制御のフローチャートである。
【００４９】
図５に示すように、電源スイッチ２１３がＯＮされ（Ｓｔｅｐ３０１）、電池２１４から電力が供給されると、システム電力供給部２０３が電池２１４から供給される電源電圧をシステムで使用する電圧に変換してシステム制御部２０１に供給する（Ｓｔｅｐ３０２）。システム制御部２０１は電源が供給されると、記憶部Ａからプログラムの読み出し動作を開始する。システム制御部２０１がまずＷＡＮ側電力供給部２０７のイネーブル信号をアクティブにすると、ＷＡＮ側電力供給部２０７はシステム電力供給部２０３から供給される電源電圧をＷＡＮ通信制御部２０４で使用する電圧に変換し、ＷＡＮ通信部への供給を開始する（Ｓｔｅｐ３０３）。ＷＡＮ通信制御部２０４は電力が供給されると、記憶部Ｂからプログラムを読み出し、ＢＳ（ＢａｓｅＳｔａｔｉｏｎ：基地局）のサーチを開始する（Ｓｔｅｐ３０４）。通信可能なＢＳの電波をアンテナ２０５で受信し見つけると（Ｓｔｅｐ３０５）、ＷＡＮ通信制御部はＢＳとの通信を確立する（Ｓｔｅｐ３０６）。ＷＡＮ側の通信が確立したら、システム制御部２０１はＬＡＮ側電力供給部２１１のイネーブル信号をアクティブにする。ＬＡＮ側電力供給部２１１はシステム電力供給部２０３から供給される電源電圧をＬＡＮ通信制御部２０８で使用する電圧に変換し、ＬＡＮ通信部への供給を開始する（Ｓｔｅｐ３０７）。ＬＡＮ通信制御部２０８は電力が供給されると、記憶部Ｃからプログラムを読み出してＬＡＮ側の通信動作を開始し、システム制御部２０１はＬＡＮ側からＷＡＮ側およびＷＡＮ側からＬＡＮ側へプロトコルの変換を行いＷＡＮとＬＡＮのデータ通信の中継を行う。ＷＡＮとＬＡＮの中継動作中にＷＡＮ側のＢＳの通信圏外に移動してＢＳとの通信が切断された場合（Ｓｔｅｐ３０８）、再び通信可能なＢＳがないかサーチし（Ｓｔｅｐ３０４）、通信可能なＢＳの電波をアンテナ２０５で受信し見つけると（Ｓｔｅｐ３０５）、ＷＡＮ通信制御部はＢＳとの通信を確立する（Ｓｔｅｐ３０６）し、中継動作を再開する。通信可能なＢＳが見つからなかった場合（Ｓｔｅｐ３０５）、システム制御部２０１はタイマーＡ２１２をスタートさせる（Ｓｔｅｐ３０９）。設定された時間までＢＳのサーチを継続しタイマーＡ２１２がタイムアウトしたら（Ｓｔｅｐ３１０）、システム制御部２０１はＷＡＮ側電力供給部２０７をディセーブルにして動作を停止させ、ＷＡＮ通信部への電力供給を止めるとともに（Ｓｔｅｐ３１１）、ＬＡＮ側電力供給部２１１をディセーブルにして動作を停止させ、ＬＡＮ通信部への電力供給を止める。また、タイマーＢ２１５をスタートさせ（Ｓｔｅｐ３１３）、設定した時間が経過したら（Ｓｔｅｐ３１４）、タイマーＡおよびタイマーＢをリセットし（Ｓｔｅｐ３１５）、システム制御部２０１は再びＷＡＮ側電力供給部２０７のイネーブル信号をアクティブにして（Ｓｔｅｐ３０３）、ＷＡＮ通信部を動作させＢＳのサーチを再開する（Ｓｔｅｐ３０４）。設定された時間ＢＳをサーチし通信可能なＢＳが見つからない場合は、見つかるまでタイマーで設定した時間間隔でサーチを繰り返す。ＢＳのサーチを行わない期間はＷＡＮ側の電源供給も停止される。
【００５０】
以上のように、実施例３の発明では、ＷＡＮ側の接続が切断された状態においてＷＡＮ側に電源を供給しないので、ＷＡＮ側の動作による消費電力を抑制することができる。また、基地局のサーチを行わない状態においてＷＡＮ側に電源を供給しないので、ＷＡＮ側の動作による消費電力を抑制することができる。
【００５１】
なお、本実施例ではＷＡＮ側、ＬＡＮ側とも無線の通信方式としたが、ＷＡＮ側通信方式およびＬＡＮ側通信方式は有線ネットワークの通信方式でもよい。
【実施例４】
【００５２】
本実施例４について、以下にその動作を説明する。
【００５３】
図６は、本発明の実施例４におけるゲートウェイ装置のハードウェア機能構成図である。
【００５４】
図６において、３０１はゲートウェイ装置のシステム全体を制御するシステム制御部である。３０２はシステムの動作プログラムが格納されるＦＬＡＳＨメモリ等の不揮発性メモリおよびデータを一時的に格納するＳＤＲＡＭ等の揮発性メモリで構成される記憶部Ａであり、システム制御部３０１は記憶部Ａの不揮発性メモリに格納されたプログラムに従って動作する。３０３はシステム全体に電力を供給するシステム電力供給部であり、入力電圧をシステム内で使用する電圧に変換する。３０４はＷＡＮ側の通信プロトコルで通信を行うＷＡＮ通信制御部である。３０５はＷＡＮ側通信方式の無線信号を送受信するアンテナである。３０６はＷＡＮ通信部の動作プログラムが格納されるＲＯＭおよびデータを一時的に格納するＲＡＭで構成される記憶部Ｂであり、ＷＡＮ通信制御部３０４は記憶部ＢのＲＯＭに格納されたプログラムに従ってＷＡＮ通信部の制御を行う。３０７はＷＡＮ通信部への電力供給を制御するＷＡＮ側電力供給部であり、システム電力供給部３０３から供給された電源電圧をＷＡＮ通信部で使用する電圧に変換して供給したり、ある条件によってはシステム制御部３０１からの信号によりＷＡＮ通信部への電力供給を停止したりする。３０８はＬＡＮ側の通信プロトコルで通信を行うＬＡＮ通信制御部である。３０９はＬＡＮ側通信方式の無線信号を送受信するアンテナである。３１０はＬＡＮ通信部の動作プログラムが格納されるＲＯＭおよびデータを一時的に格納するＲＡＭで構成される記憶部Ｃであり、ＬＡＮ通信制御部３０８は記憶部ＣのＲＯＭに格納されたプログラムに従ってＬＡＮ通信部の制御を行う。３１１はＬＡＮ通信部への電力供給を制御するＬＡＮ側電力供給部であり、システム電力供給部３０３から供給された電源電圧をＬＡＮ通信部で使用する電圧に変換して供給したり、ある条件によってはシステム制御部３０１からの信号によりＬＡＮ通信部への電力供給を停止したりする。３１２はＢＳをサーチする時間を計測のためのタイマーＡである。３１３はシステムの電源をＯＮ／ＯＦＦするスイッチであり、３１４はシステムの主電源である電池である。３１５はＢＳをサーチする時間間隔を計測するタイマーＢであり、３１６はＢＳとの通信切断時間を計測するタイマーＣである。
【００５５】
以上のように構成されるゲートウェイ装置について、以下にその動作を説明する。
【００５６】
図７は、本発明の実施例４におけるゲートウェイ装置の電源制御のフローチャートである。
【００５７】
図７に示すように、電源スイッチ３１３がＯＮされ（Ｓｔｅｐ４０１）、電池３１４から電力が供給されると、システム電力供給部３０３が電池３１４から供給される電源電圧をシステムで使用する電圧に変換してシステム制御部３０１に供給する（Ｓｔｅｐ４０２）。システム制御部３０１は電源が供給されると、記憶部Ａからプログラムの読み出し動作を開始する。システム制御部３０１がまずＷＡＮ側電力供給部３０７のイネーブル信号をアクティブにすると、ＷＡＮ側電力供給部３０７はシステム電力供給部３０３から供給される電源電圧をＷＡＮ通信制御部３０４で使用する電圧に変換し、ＷＡＮ通信部への供給を開始する（Ｓｔｅｐ４０３）。ＷＡＮ通信制御部３０４は電力が供給されると、記憶部Ｂからプログラムを読み出し、ＢＳ（ＢａｓｅＳｔａｔｉｏｎ：基地局）のサーチを開始する（Ｓｔｅｐ４０４）。通信可能なＢＳの電波をアンテナ３０５で受信し見つけると（Ｓｔｅｐ４０５）、タイマーＣ３１６をリセットし（Ｓｔｅｐ４０６）、ＷＡＮ通信制御部３０４はＢＳとの通信を確立する（Ｓｔｅｐ４０７）。ＷＡＮ側の通信が確立したら、システム制御部３０１はＬＡＮ側電力供給部３１１のイネーブル信号をアクティブにする。ＬＡＮ側電力供給部３１１はシステム電力供給部３０３から供給される電源電圧をＬＡＮ通信制御部３０８で使用する電圧に変換し、ＬＡＮ通信部への供給を開始する（Ｓｔｅｐ４０８）。ＬＡＮ通信制御部３０８は電力が供給されると、記憶部Ｃからプログラムを読み出してＬＡＮ側の通信動作を開始し、システム制御部３０１はＬＡＮ側からＷＡＮ側およびＷＡＮ側からＬＡＮ側へプロトコルの変換を行いＷＡＮとＬＡＮのデータ通信の中継を行う。ＷＡＮとＬＡＮの中継動作中にＷＡＮ側のＢＳの通信圏外に移動してＢＳとの通信が切断された場合（Ｓｔｅｐ４０９）、再び通信可能なＢＳがないかサーチし（Ｓｔｅｐ４０４）、通信可能なＢＳの電波をアンテナ３０５で受信し見つけると（Ｓｔｅｐ４０５）、タイマーＣ３１６をリセットし（Ｓｔｅｐ４０６）、ＷＡＮ通信制御部はＢＳとの通信を確立する（Ｓｔｅｐ４０７）し、中継動作を再開する。通信可能なＢＳが見つからなかった場合（Ｓｔｅｐ４０５）、システム制御部３０１はタイマーＣ３１６をスタートさせる（Ｓｔｅｐ４１０）。同時にタイマーＡ３１２もスタートさせ（Ｓｔｅｐ４１１）、設定された時間までＢＳのサーチを継続しタイマーＡ３１２がタイムアウトしたら（Ｓｔｅｐ４１２）、システム制御部３０１はＷＡＮ側電力供給部３０７をディセーブルにして動作を停止させ、ＷＡＮ通信部への電力供給を止めるとともに（Ｓｔｅｐ４１３）、ＬＡＮ側電力供給部３１１をディセーブルにして動作を停止させ、ＬＡＮ通信部への電力供給を止める（Ｓｔｅｐ４１４）。次に、タイマーＢ２１５の時間設定を行う（Ｓｔｅｐ４１５）。Ｓｔｅｐ４１５では、タイマーＢ２１５の時間間隔の時間幅を変更する。時間幅を変更すると、スタートさせる（Ｓｔｅｐ４１６）。設定された時間が経過したら（Ｓｔｅｐ４１７）、タイマーＡおよびタイマーＢをリセットし（Ｓｔｅｐ４１８）、システム制御部３０１は再びＷＡＮ側電力供給部３０７のイネーブル信号をアクティブにして（Ｓｔｅｐ４０３）、ＷＡＮ通信部を動作させＢＳのサーチを再開する（Ｓｔｅｐ４０４）。設定された時間ＢＳをサーチし通信可能なＢＳが見つからない場合は、見つかるまでタイマーで設定した時間間隔でサーチを繰り返す。この場合、タイマーＣ３１６の計測時間に応じてタイマーＢの設定時間を変更し（Ｓｔｅｐ４１５）、ＢＳとの通信切断時間が長くなるほどＢＳサーチの間隔が大きくなるように設定時間を変える。
【００５８】
以上のように、実施例４の発明では、ＷＡＮの通信が切断されてからの経過時間に応じて、サーチ間隔を柔軟に変更することができる。また、ＷＡＮの通信が切断されてからの経過時間に応じて、サーチ間隔を柔軟に変更することができる。
【００５９】
なお、本実施例ではＷＡＮ側、ＬＡＮ側とも無線の通信方式としたが、ＷＡＮ側通信方式およびＬＡＮ側通信方式は有線ネットワークの通信方式でもよい。
【実施例５】
【００６０】
本実施例５において、図４と同様に構成されたゲートウェイ装置について、以下にその動作を説明する。
【００６１】
図８は、本発明の実施例５におけるゲートウェイ装置の電源制御のフローチャートである。
【００６２】
図８に示すように、電源スイッチ２１３がＯＮされ（Ｓｔｅｐ５０１）、電池２１４から電力が供給されると、システム電力供給部２０３が電池２１４から供給される電源電圧をシステムで使用する電圧に変換してシステム制御部２０１に供給する（Ｓｔｅｐ５０２）。システム制御部２０１は電源が供給されると、記憶部Ａからプログラムの読み出し動作を開始する。システム制御部２０１がまずＷＡＮ側電力供給部２０７のイネーブル信号をアクティブにすると、ＷＡＮ側電力供給部２０７はシステム電力供給部２０３から供給される電源電圧をＷＡＮ通信制御部２０４で使用する電圧に変換し、ＷＡＮ通信部への供給を開始する（Ｓｔｅｐ５０３）。ＷＡＮ通信制御部２０４は電力が供給されると、記憶部Ｂからプログラムを読み出し、ＢＳ（ＢａｓｅＳｔａｔｉｏｎ：基地局）のサーチを開始する（Ｓｔｅｐ５０４）。通信可能なＢＳの電波をアンテナ２０５で受信し見つけると（Ｓｔｅｐ５０５）、ＷＡＮ通信制御部２０４はＢＳとの通信を確立する（Ｓｔｅｐ５０６）。ＷＡＮ側の通信が確立したら、システム制御部２０１はＬＡＮ側電力供給部２１１のイネーブル信号をアクティブにする。ＬＡＮ側電力供給部２１１はシステム電力供給部２０３から供給される電源電圧をＬＡＮ通信制御部２０８で使用する電圧に変換し、ＬＡＮ通信部への供給を開始する（Ｓｔｅｐ５０７）。ＬＡＮ通信制御部２０８は電力が供給されると、記憶部Ｃからプログラムを読み出してＬＡＮ側の通信動作を開始し、システム制御部２０１はＬＡＮ側からＷＡＮ側およびＷＡＮ側からＬＡＮ側へプロトコルの変換を行いＷＡＮとＬＡＮのデータ通信の中継を行う。システム制御部２０１はＬＡＮ通信部をイネーブルにすると、タイマーＢ２１５をスタートさせ（Ｓｔｅｐ５０８）、ＬＡＮ通信部のアクセスの有無、すなわちＬＡＮ側の端末からのゲートウェイ装置へのアクセスを監視する（Ｓｔｅｐ５０９）。ＬＡＮ通信部をイネーブルにして任意の時間タイマーＢ２１５でＬＡＮ通信部のアクセスがない時間を計測したら（Ｓｔｅｐ５１４）、ＷＡＮ側電力供給部２０７をディスエーブルにしてＷＡＮ通信部への電源供給を停止する（Ｓｔｅｐ５１５）。ＬＡＮ通信部へのアクセスを検出したら（Ｓｔｅｐ５０９）、タイマーＢ２１５をリセットし（Ｓｔｅｐ５１０）、ＷＡＮ側電力供給部２０７を再びイネーブルし（Ｓｔｅｐ５０３）、ＷＡＮ通信制御部２０４はＢＳのサーチを開始して（Ｓｔｅｐ５０４）、ＢＳとの通信が確立したらＷＡＮとＬＡＮの通信中継動作を再開する。通信可能なＢＳが見つからなかった場合は（Ｓｔｅｐ５０５）、システム制御部２０１はタイマーＡ２１２をスタートさせる（Ｓｔｅｐ５１１）。設定された時間までＢＳのサーチを継続しタイマーＡ２１２がタイムアウトしたら（Ｓｔｅｐ５１２）、タイマーＡをリセットし（Ｓｔｅｐ５１３）ＷＡＮ通信部はＢＳのサーチを再開する（Ｓｔｅｐ５０４）。通信可能なＢＳが見つからない場合は、見つかるまでタイマーで設定した時間間隔でサーチを繰り返す。
【００６３】
以上のように、実施例５の発明では、ＬＡＮ側のアクセスがない状態においてＷＡＮ側に電源を供給しないので、ＷＡＮ側の動作による消費電力をさらに抑制することができる。
【００６４】
なお、本実施例ではＷＡＮ側、ＬＡＮ側とも無線の通信方式としたが、ＷＡＮ側通信方式およびＬＡＮ側通信方式は有線ネットワークの通信方式でもよい。
【実施例６】
【００６５】
本実施例６において、図４と同様に構成されたゲートウェイ装置について、以下にその動作を説明する。
【００６６】
図９は、本発明の実施例６におけるゲートウェイ装置の電源制御のフローチャートである。
【００６７】
図９に示すように、電源スイッチ２１３がＯＮされ（Ｓｔｅｐ６０１）、電池２１４から電力が供給されると、システム電力供給部２０３が電池２１４から供給される電源電圧をシステムで使用する電圧に変換してシステム制御部２０１に供給する（Ｓｔｅｐ６０２）。システム制御部２０１は電源が供給されると、記憶部Ａからプログラムの読み出し動作を開始し、まずタイマーＢをスタートさせる（Ｓｔｅｐ６０３）。次に、システム制御部２０１はＷＡＮ側電力供給部２０７のイネーブル信号をアクティブにすると、ＷＡＮ側電力供給部２０７はシステム電力供給部２０３から供給される電源電圧をＷＡＮ通信制御部２０４で使用する電圧に変換し、ＷＡＮ通信部への供給を開始する（Ｓｔｅｐ６０４）。また、ＬＡＮ側電力供給部２１１のイネーブル信号もアクティブにする。ＬＡＮ側電力供給部２１１はシステム電力供給部２０３から供給される電源電圧をＬＡＮ通信制御部２０８で使用する電圧に変換し、ＬＡＮ通信部への供給を開始する（Ｓｔｅｐ６０５）。ＬＡＮ通信制御部２０８は電力が供給されると、記憶部Ｃからプログラムを読み出してＬＡＮ側の通信動作を開始する。ＷＡＮ通信制御部２０４は電力が供給されると、記憶部Ｂからプログラムを読み出し、ＢＳ（ＢａｓｅＳｔａｔｉｏｎ：基地局）のサーチを開始する（Ｓｔｅｐ６０６）。通信可能なＢＳの電波をアンテナ２０５で受信し見つけると（Ｓｔｅｐ６０７）、ＷＡＮ通信制御部２０４はＢＳとの通信を確立する（Ｓｔｅｐ６０８）。ＷＡＮ側の通信が確立したら、システム制御部２０１はＬＡＮ側電力供給部２１１のイネーブル信号をアクティブにする。ＬＡＮ側電力供給部２１１はシステム電力供給部２０３から供給される電源電圧をＬＡＮ通信制御部２０８で使用する電圧に変換し、ＬＡＮ通信部への供給を開始する（Ｓｔｅｐ６０９）。ＬＡＮ通信制御部２０８は電力が供給されると、記憶部Ｃからプログラムを読み出してＬＡＮ側の通信動作を開始し、システム制御部２０１はＬＡＮ側からＷＡＮ側およびＷＡＮ側からＬＡＮ側へプロトコルの変換を行いＷＡＮとＬＡＮのデータ通信の中継を行う。システム制御部２０１は、電源スイッチ２１３がＯＦＦされたことを検出したら（Ｓｔｅｐ６１０）、ＷＡＮ側電力供給部２０７およびＬＡＮ側電力供給部２１１をディスエーブルし、シャットダウン処理を行う（Ｓｔｅｐ６１１）。ＢＳをサーチして通信可能なＢＳが見つからなかった場合（Ｓｔｅｐ６０７）、タイマーＢの計測時間が任意の時間経過していなければ（Ｓｔｅｐ６１２）、システム制御部２０１はタイマーＡ２１２をスタートさせ（Ｓｔｅｐ６１４）、タイマーＡで時間計測し任意の時間経過したら（Ｓｔｅｐ６１５）タイマーＡをリセットし（Ｓｔｅｐ６１６）、ＷＡＮ通信部はＢＳのサーチを再開する（Ｓｔｅｐ６０６）。通信可能なＢＳが見つからないままタイマーＢが任意の時間計測したら（Ｓｔｅｐ６１２）、システム制御部２０１はＬＡＮ電源制御部２１１をディスエーブルし、ＬＡＮ通信部への電源供給を停止して（Ｓｔｅｐ６１３）、タイマーＡで計測する任意の時間間隔でＢＳのサーチを繰り返す。
【００６８】
本実施例では、タイマーＢで計測する任意の時間の間、ＬＡＮ通信部への電源供給を行うとしたが、ＬＡＮ通信部への電源投入から任意の時間ＬＡＮ通信部へのアクセスがなくなるまでの間、電源供給を行うとしてもよい。
【００６９】
また、本実施例ではＷＡＮ側、ＬＡＮ側とも無線の通信方式としたが、ＷＡＮ側通信方式およびＬＡＮ側通信方式は有線ネットワークの通信方式でもよい。
【実施例７】
【００７０】
図１０は、本発明の実施例７におけるゲートウェイ装置のハードウェア機能構成図である。
【００７１】
図１０において、４０１はゲートウェイ装置のシステム全体を制御するシステム制御部である。４０２はシステムの動作プログラムが格納されるＦＬＡＳＨメモリ等の不揮発性メモリおよびデータを一時的に格納するＳＤＲＡＭ等の揮発性メモリで構成される記憶部Ａであり、システム制御部４０１は記憶部Ａの不揮発性メモリに格納されたプログラムに従って動作する。４０３はシステム全体に電力を供給するシステム電力供給部であり、入力電圧をシステム内で使用する電圧に変換する。４０４はＷＡＮ側の通信プロトコルで通信を行うＷＡＮ通信制御部である。４０５はＷＡＮ側通信方式の無線信号を送受信するアンテナである。４０６はＷＡＮ通信部の動作プログラムが格納されるＲＯＭおよびデータを一時的に格納するＲＡＭで構成される記憶部Ｂであり、ＷＡＮ通信制御部４０４は記憶部ＢのＲＯＭに格納されたプログラムに従ってＷＡＮ通信部の制御を行う。４０７はＷＡＮ通信部への電力供給を制御するＷＡＮ側電力供給部であり、システム電力供給部４０３から供給された電源電圧をＷＡＮ通信部で使用する電圧に変換して供給したり、ある条件によってはシステム制御部４０１からの信号によりＷＡＮ通信部への電力供給を停止したりする。４０８はＬＡＮ側の通信プロトコルで通信を行うＬＡＮ通信制御部である。４０９はＬＡＮ側通信方式の無線信号を送受信するアンテナである。４１０はＬＡＮ通信部の動作プログラムが格納されるＲＯＭおよびデータを一時的に格納するＲＡＭで構成される記憶部Ｃであり、ＬＡＮ通信制御部４０８は記憶部ＣのＲＯＭに格納されたプログラムに従ってＬＡＮ通信部の制御を行う。４１１はＬＡＮ通信部への電力供給を制御するＬＡＮ側電力供給部であり、システム電力供給部４０３から供給された電源電圧をＬＡＮ通信部で使用する電圧に変換して供給したり、ある条件によってはシステム制御部４０１からの信号によりＬＡＮ通信部への電力供給を停止したりする。４１２は時間計測のためのタイマーである。４１３はシステムの電源をＯＮ／ＯＦＦするスイッチＡであり、４１４はシステムの主電源である電池である。４１５は装置の設定のためＬＡＮ通信部に一時的に任意の時間電源を供給するためのスイッチＢである。
【００７２】
以上のように構成されるゲートウェイ装置について、以下にその動作を説明する。
本実施例において、スイッチＢ４１５をＯＮしない場合の動作は前記実施例１におけるゲートウェイ装置の動作と同じである。よってスイッチＢ４１５をＯＮした場合の動作についてのみ以下に説明する。
【００７３】
図１１は、本発明の実施例７におけるゲートウェイ装置のスイッチＢをＯＮした場合の電源制御のフローチャートである。
【００７４】
前述したようにスイッチＢを使用しない場合は実施例１に説明した動作をする。システムの動作中にスイッチＢ４１５がＯＮされ、システム制御部４０１が割り込みの発生を検知すると（Ｓｔｅｐ７０１）、ＬＡＮ側電力供給部４１１の動作状態を検出し、停止中であれば（Ｓｔｅｐ７０２）ＬＡＮ側電力供給部４１１のイネーブル信号をアクティブにする。ＬＡＮ側電力供給部４１１はシステム電力供給部４０３から供給される電源電圧をＬＡＮ通信制御部４０８で使用する電圧に変換し、ＬＡＮ通信部への供給を開始する（Ｓｔｅｐ７０３）。ＬＡＮ通信制御部４０８は電力が供給されると、記憶部Ｃからプログラムを読み出してＬＡＮ側の通信動作を開始する。次に、システム制御部４０１はタイマー４１２をスタートさせ（Ｓｔｅｐ７０４）任意の時間経過したことを計測したら（Ｓｔｅｐ７０５）、ＷＡＮ通信部の状態を検出してＢＳとの通信が確立していなければ（Ｓｔｅｐ７０６）、ＬＡＮ側電力供給部４１１をディスエーブルしてＬＡＮ通信部への電源供給を停止する。
【００７５】
本実施例ではスイッチＢがＯＮされて任意の時間の間、ＬＡＮ通信部へ電源を供給するとしたが、スイッチＢがＯＮされて任意の時間ＬＡＮ通信部へのアクセスがなくなるまで電源を供給するとしてもよい。
【実施例８】
【００７６】
図１２は、本発明の実施例８におけるゲートウェイ装置のハードウェアの構成図である。
【００７７】
図１２に示すゲートウェイ装置は、実施例１ないし７の具体的なハードウェア構成例を示している。
【００７８】
ゲートウェイ装置は、メインＩＣ５０１、ＬＡＮ通信部６００、ＷＡＮ通信部７００を備えている。メインＩＣ５０１は、ＣＰＵ５０１ａ、ＢＣＵ５０１ｂを有している。ＣＰＵ５０１ａ、ＢＣＵ５０１ｂは、バス線５０１ｃを介して、リセットＩＣ５０３およびタイマー５０６に接続されている。またＣＰＵ５０１ａ、ＢＣＵ５０１ｂは、バス線５０１ｄを介して、ＳＤＲＡＭ５０４、Ｆｌａｓｈ  ＲＯＭ５０５に接続されている。またメインＩＣ５０１は、発振器５０２が接続されている。
【００７９】
ＬＡＮ通信部６００は、無線ＬＡＮコントローラ５０７、ＲＦモジュール５０８、アンテナ５１０を有している。無線ＬＡＮコントローラ５０７は、ＭＡＣ層（Ｍｅｄｉａ  Ａｃｃｅｓｓ  Ｃｏｎｔｒｏｌ  ｌａｙｅｒ）を管理するＭＡＣブロック５０７ａ、および物理層（Ｐｈｙｓｉｃａｌ  Ｌａｙｅｒ）を管理するＰＨＹブロック５０７ｂを有している。ＲＦモジュール５０８は、スイッチ５０８ａ、増幅器５０８ｂ、５０８ｃ、およびＲＦ変復調器５０８ｄを有している。ＲＦモジュール５０８には、発振器５０９が接続されている。アンテナ５１０は、ＲＦモジュール５０８、および無線ＬＡＮコントローラ５０７を介して、メインＩＣ５０１に接続されている。
【００８０】
ＷＡＮ通信部７００は、ＷｉＭＡＸコントローラ５１１、ＲＦモジュール５１２、アンテナ５１４を有している。ＷｉＭＡＸコントローラ５１１は、ＭＡＣ層を管理するＭＡＣブロック５１１ａ、および物理層を管理するＰＨＹブロック５１１ｂを有している。ＲＦモジュール５１２は、スイッチ５１２ａ、増幅器５１２ｂ、５１２ｃ、およびＲＦ変復調器５１２ｄを有している。ＲＦモジュール５１２には、発振器５１３が接続されている。アンテナ５１４は、ＲＦモジュール５１２、およびＷｉＭＡＸコントローラ５１１を介して、メインＩＣ５０１に接続されている。
【００８１】
ゲートウェイ装置は、さらにＤＣ−ＤＣ変換器５１６、スイッチ５１７、５１８、ＤＣ電源コネクタ５１５を有している。ＤＣ電源コネクタ５１５は図示しない電池が接続されており、電池からの電源電圧がＤＣ−ＤＣ変換器５１６に供給される。ＤＣ−ＤＣ変換器５１６は、供給される電源電圧を所定の電圧に変換し、変換された電源電圧をそれぞれ、メインＩＣ５０１、ＬＡＮ通信部６００、ＷＡＮ通信部７００に供給される。ＬＡＮ通信部６００では、変換された電源電圧が、無線ＬＡＮコントローラ５０７、およびＲＦモジュール５０８に供給される。ＷＡＮ通信部７００では、変換された電源電圧が、ＷｉＭＡＸコントローラ５１１、およびＲＦモジュール５１２に供給される。
【００８２】
ＬＡＮ通信部６００への電源供給の停止は、必ずしも、無線ＬＡＮコントローラ５０７およびＲＦモジュール５０８の両方への電源供給を停止する必要はなく、無線ＬＡＮコントローラ５０７またはＲＦモジュール５０８への電源供給を停止してもよい。また、ＷｉＭＡＸ通信部７００への電源供給の停止は、必ずしも、ＷｉＭＡＸコントローラ５１１およびＲＦモジュール５１２の両方への電源供給を停止する必要はなく、ＷｉＭＡＸコントローラ５１１またはＲＦモジュール５１２への電源供給を停止してもよい。
【産業上の利用可能性】
【００８３】
本発明は、ＷＡＮ側ネットワークとＬＡＮ側ネットワークの異なるプロトコルのネットワーク間の中継を行うゲートウェイ装置、特に電池で駆動する中継装置および中継方法に適用することができる。
【符号の説明】
【００８４】
１０１、２０１、３０１、４０１    システム制御部
１０２、２０２、３０２、４０２    記憶部Ａ
１０３、２０３、３０３、４０３    システム電力供給部
１０４、２０４、３０４、４０４    ＷＡＮ通信制御部
１０５、２０５、３０５、４０５    アンテナ（ＷＡＮ）
１０６、２０６、３０６、４０６    記憶部Ｂ
１０７、２０７、３０７、４０７    ＷＡＮ電力供給部
１０８、２０８、３０８、４０８    ＬＡＮ通信制御部
１０９、２０９、３０９、４０９    アンテナ（ＬＡＮ）
１１０、２１０、３１０、４１０    記憶部Ｃ
１１１、２１１、３１１、４１１    ＬＡＮ電力供給部
１１２、４１２    タイマー
１１３、２１３、３１３    スイッチ
１１４、２１４、３１４、４１４    電池
２１２、３１２    タイマーＡ
２１５、３１５    タイマーＢ
３１６    タイマーＣ
４１３    スイッチＡ
４１５    スイッチＢ
【図１】
2012084951.tif 000003
【図２】
2012084951.tif 000004
【図３】
2012084951.tif 000005
【図４】
2012084951.tif 000006
【図５】
2012084951.tif 000007
【図６】
2012084951.tif 000008
【図７】
2012084951.tif 000009
【図８】
2012084951.tif 000010
【図９】
2012084951.tif 000011
【図１０】
2012084951.tif 000012
【図１１】
2012084951.tif 000013
【図１２】
2012084951.tif 000014